(57)【要約】【課題】走路上の石等の突起物を踏んだ際のサイドカット故障の発生を抑制するとともに、トレッドゴムの放熱を促進して発熱量を抑制した重荷重用空気入りラジアルタイヤを提供する。【解決手段】本発明の空気入りタイヤは、幅方向断面内で、直線ｌ２の直線ｌ３に対する傾斜角度αが、０°＜α≦３０°であり、直線ｌ４の直線ｌ５に対する傾斜角度βが、０°≦β＜３０°であり、タイヤ径方向距離ｈがタイヤ断面高さＳＨに対して０．２０ＳＨ≦ｈ≦０．４０ＳＨであり、タイヤ径方向距離ｈ′が前記距離ｈよりも小さく、前記幅方向溝は、溝底に引いた第１の接線ｔ１が直線ｌ６と平行になる領域Ａを有するとともに、該領域Ａよりもタイヤ幅方向外側に、同溝底に引いた第２の接線ｔ２が前記直線ｌ４と平行になる領域Ｂを有し、且つ、長さＤ′は長さＤの１．５倍以上であることを特徴とする。【選択図】図２
2011111006.tif 000002
【特許請求の範囲】
【請求項１】
トレッド部と、一対のサイドウォール部と、一対のビード部と、各ビード部内のビードコア間にトロイド状に延在する少なくとも一枚のカーカスプライからなるラジアルカーカスと、カーカスのクラウン域の外周側に配置したトレッドゴムとを具え、少なくともトレッドショルダ域にトレッド幅方向に延びる幅方向溝をトレッド周方向に間隔をおいて複数本設けてなる空気入りラジアルタイヤにおいて、
適用リムに組み付けて、規定の内圧を充填した無負荷状態のタイヤの幅方向断面内で、
カーカスの最大幅位置を通るリム径ラインと平行な仮想直線ｌ１とタイヤ外表面との交点ｐと、その交点ｐよりタイヤ径方向外側に位置するタイヤ最大幅位置とを結ぶ直線ｌ２の、タイヤの赤道面に平行な直線ｌ３に対する傾斜角度αが、０°＜α≦３０°であり、
前記タイヤ最大幅位置とトレッド接地端Ｔとを結ぶ直線ｌ４の、タイヤ赤道面に平行な直線ｌ５に対する傾斜角度βが、０°≦β＜３０°であり、
トレッドセンターからタイヤ最大幅位置までのタイヤ径方向距離ｈがタイヤ断面高さＳＨに対して０．２０ＳＨ≦ｈ≦０．４０ＳＨであり、
トレッドセンターから、前記幅方向溝の溝底の、タイヤの側面との交点Ｆまでのタイヤ径方向距離ｈ′が、前記距離ｈよりも小さく、
前記幅方向溝は、その溝底に引いた第１の接線ｔ１が、同幅方向溝の溝底のトレッド接地面との交点Ｆ′とトレッド接地端Ｔとを結ぶ直線ｌ６と平行になる領域Ａを有するとともに、該領域Ａよりもタイヤ幅方向外側に、同溝底に引いた第２の接線ｔ２が、前記直線ｌ４と平行になる領域Ｂを有し、且つ、
前記交点Ｆから前記直線ｌ６に下ろした垂線の長さＤ′が、前記領域Ａから前記直線ｌ６に下ろした垂線の長さＤの１．５倍以上であることを特徴とする空気入りラジアルタイヤ。
【請求項２】
前記距離ｈ′が、前記距離ｈの０．２倍以上である、請求項１に記載の空気入りラジアルタイヤ。
【請求項３】
前記距離ｈ′が、前記距離ｈに対して、さらに、０．５ｈ＜ｈ′＜０．９ｈである、請求項１または２に記載の空気入りラジアルタイヤ。
【請求項４】
前記領域Ｂから前記直線ｌ４に下ろした垂線の長さｄが、前記長さＤに対して、０．０３Ｄ＜ｄ＜０．４Ｄである、請求項１〜３のいずれかに記載の空気入りラジアルタイヤ。
【請求項５】
前記傾斜角度αが、５°≦α≦１０°である、請求項１〜４のいずれかに記載の空気入りラジアルタイヤ。
【請求項６】
前記傾斜角度βが、５°≦β≦１０°である、請求項１〜５に記載の空気入りラジアルタイヤ。
【請求項７】
前記距離ｈが、０．２８ＳＨ≦ｈ≦０．３６ＳＨである、請求項１〜６のいずれかに記載の空気入りラジアルタイヤ。
【発明の詳細な説明】
【技術分野】
【０００１】
本発明は、空気入りラジアルタイヤ、特には建設車両に用いて好適なる重荷重用空気入りラジアルタイヤに関し、走路上の石等の突起物を踏んだ際のサイドカット故障の発生を抑制するとともに、トレッドゴムの放熱を促進することによりトレッドゴムの温度上昇を抑制した重荷重用空気入りラジアルタイヤに関するものである。
【背景技術】
【０００２】
地下鉱山等の岩盤路を走行する建設車両用に用いられる重荷重用空気入りタイヤでは、図４に、タイヤの負荷転動時の幅方向断面をその半部について模式的に示すように、サイドウォール部２２が、タイヤ幅方向外側に大きく膨出変形する。このため、タイヤの転動中に接触する石等の突起物によって、サイドウォール部２２にサイドカットが生じるおそれが高く、このサイドカットがタイヤのカーカスにまで達すると、パンク等の故障を引き起こすおそれがあった。
【０００３】
そこで従来は、このような問題に対し、複数枚のコード交錯層からなるカーカスプライを配置したバイアスタイヤを広く一般に使用していた。これはすなわち、コード交錯層の厚みが厚いバイアスタイヤでは、サイドカット傷がタイヤの内面まで貫通し難く、耐サイドカット性に優れる利点があることによる。
【０００４】
一方、ラジアルタイヤは、製造工数、コスト面で有利であるとともに、耐摩耗性、トラクション性能、重量等の面でも優れているものの、この種の重荷重用空気入りラジアルタイヤでは、サイドウォール部に、例えばスチールコードからなるカーカスプライを一枚だけ配設する場合が多く、これに伴ってサイドウォール部のゴム厚みも薄くなることから、サイドカットがカーカスを容易に貫通してパンクに至るおそれが高かった。
【０００５】
このようなサイドカット故障を抑えるために、ラジアルタイヤでは、サイドウォール部のゴム厚みを厚くしたり、特許文献１に記載されているように、タイヤのサイドゴムに耐カット性に優れたゴムを配設することで、耐サイドカット性を向上させる技術が提案されているが、これによって尚、バイアスタイヤと同等レベルまで耐サイドカット性を向上させるには至っていなかった。
【０００６】
また、サイドカットそのものを受け難くするべく、例えば特許文献２に記載されているように、適用リムに装着され、内圧を充填した無負荷常態のタイヤの幅方向断面内で、タイヤ外表面幅を、カーカス層の最大幅位置から測って、カーカス層の最大幅位置からトレッド端までの半径方向距離の０．３〜０．７倍だけ離れた位置までの間で、漸増させ、かつ、前記位置からトレッド端までの間で、漸減させることで、重荷重によってサイドウォール部がタイヤ幅方向外側に大きく膨出変形したときでも、サイドウォール部を路面に対してほぼ垂直とすることで、サイドカットの発生を防止する技術が提案されている。
【０００７】
しかるに、この特許文献２に記載されたタイヤでは、トレッド接地端のタイヤ幅方向外側領域に位置するバットレスのゴムの厚みが厚くなってゴム体積が増加し、トレッドゴムの発熱量が増大し、トレッドゴム温度が上昇することによってタイヤの耐久性が低下するおそれがあった。
【先行技術文献】
【特許文献】
【０００８】
【特許文献１】特開平０６−３２８９１２号公報
【特許文献２】特開２００１−２１３１１４号公報
【発明の概要】
【発明が解決しようとする課題】
【０００９】
そこで、本発明は、走行時の石等の突起物に対する耐サイドカット性を低下させることなしに、トレッドゴムの発熱、ひいては温度上昇を抑制することが可能な重荷重用空気入りラジアルタイヤを提供することにある。
【課題を解決するための手段】
【００１０】
発明者らは、上記の耐サイドカット性の向上と、トレッドゴムの温度上昇の抑制とを高い次元で両立させた重荷重用空気入りラジアルタイヤを開発する方途につき鋭意検討していたところ、タイヤのトラクションの向上を目的として、トレッド部の、例えばタイヤ幅方向両端に配される幅方向溝につき、それの形成形態を適正化して、トレッドゴムの発熱熱量を該幅方向溝から放散させることが効果的であることを知見し、本発明を完成するに到った。従って、上記課題を解決する本発明の要旨構成は、以下の通りである。
【００１１】
（１）トレッド部と、一対のサイドウォール部と、一対のビード部と、各ビード部内のビードコア間にトロイド状に延在する少なくとも一枚のカーカスプライからなるラジアルカーカスと、カーカスのクラウン域の外周側に配置したトレッドゴムとを具え、少なくともトレッドショルダ域にトレッド幅方向に延びる幅方向溝をトレッド周方向に間隔をおいて複数本設けてなる空気入りラジアルタイヤにおいて、
適用リムに組み付けて、規定の内圧を充填した無負荷状態のタイヤの幅方向断面内で、
カーカスの最大幅位置を通るリム径ラインと平行な仮想直線ｌ１とタイヤ外表面との交点ｐと、その交点ｐよりタイヤ径方向外側に位置するタイヤ最大幅位置とを結ぶ直線ｌ２の、タイヤの赤道面に平行な直線ｌ３に対する傾斜角度αが、０°＜α≦３０°であり、
前記タイヤ最大幅位置とトレッド接地端Ｔとを結ぶ直線ｌ４の、タイヤ赤道面に平行な直線ｌ５に対する傾斜角度βが、０°≦β＜３０°であり、
トレッドセンターからタイヤ最大幅位置までのタイヤ径方向距離ｈがタイヤ断面高さＳＨに対して０．２０ＳＨ≦ｈ≦０．４０ＳＨであり、
トレッドセンターから、前記幅方向溝の溝底の、タイヤの側面との交点Ｆまでのタイヤ径方向距離ｈ′が、前記距離ｈよりも小さく、
前記幅方向溝は、その溝底に引いた第１の接線ｔ１が、同幅方向溝の溝底のトレッド接地面との交点Ｆ′とトレッド接地端Ｔとを結ぶ直線ｌ６と平行になる領域Ａを有するとともに、該領域Ａよりもタイヤ幅方向外側に、同溝底に引いた第２の接線ｔ２が、前記直線ｌ４と平行になる領域Ｂを有し、且つ、
前記交点Ｆから前記直線ｌ６に下ろした垂線の長さＤ′が、前記領域Ａから前記直線ｌ６に下ろした垂線の長さＤの１．５倍以上であることを特徴とする空気入りラジアルタイヤ。
【００１２】
ここで、「適用リム」とは、タイヤが生産され、使用される地域に有効な産業規格であって、日本ではＪＡＴＭＡ（日本自動車タイヤ協会）  ＹＥＡＲ  ＢＯＯＫ、欧州ではＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）  ＳＴＡＮＤＡＲＤ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）  ＹＥＡＲ  ＢＯＯＫ等に規定されたリムをいうものとする。
また、「規定の内圧」とは、ＪＡＴＭＡ等で規定された最高空気圧を言うものとする。
【００１３】
「タイヤ最大幅位置」とは、ＪＡＴＭＡ等に規定された適用リムに、タイヤを組み付けて、ＪＡＴＭＡ等の規格にタイヤサイズに応じて規定された最高空気圧を充填した状態での、タイヤ幅方向断面内の最大幅位置を言うものとする。
【００１４】
「カーカスの最大幅位置」とは、ＪＡＴＭＡ等に規定された適用リムにタイヤを組み付けて、ＪＡＴＭＡ等の規格にタイヤサイズに応じて規定された最高空気圧を充填した状態での、最外側のカーカスプライの最大幅位置を言うものとする。
【００１５】
「タイヤ断面高さＳＨ」とは、タイヤの外径とリム径の差の１／２を言うものとする。
「トレッド接地端Ｔ」とは、ＪＡＴＭＡ等に規定された適用リムにタイヤを組み付けて、ＪＡＴＭＡ等の規格にタイヤサイズに応じて規定された最高空気圧を充填した状態の前記タイヤ幅方向断面内において、トレッド接地面の延長線とタイヤ側面の延長線とが交わる位置を言うものとする。
【００１６】
（２）前記距離ｈ′が、前記距離ｈの０．２倍以上である、上記（１）に記載の空気入りラジアルタイヤ。
【００１７】
（３）前記距離ｈ′が、前記距離ｈに対して、さらに、０．５ｈ＜ｈ′＜０．９ｈである、上記（１）または（２）に記載の空気入りラジアルタイヤ。
【００１８】
（４）前記領域Ｂから前記直線ｌ４に下ろした垂線の長さｄが、前記長さＤに対して、０．０３Ｄ＜ｄ＜０．４Ｄである、上記（１）〜（３）のいずれかに記載の空気入りラジアルタイヤ。
【００１９】
（５）前記傾斜角度αが、５°≦α≦１０°である、上記（１）〜（４）のいずれかに記載の空気入りラジアルタイヤ。
【００２０】
（６）前記傾斜角度βが、５°≦β≦１０°である、上記（１）〜（５）に記載の空気入りラジアルタイヤ。
【００２１】
（７）前記距離ｈが、０．２８ＳＨ≦ｈ≦０．３６ＳＨである、上記（１）〜（６）のいずれかに記載の空気入りラジアルタイヤ。
【発明の効果】
【００２２】
図１に、規定の質量に対応する負荷を加えた状態の本発明の空気入りラジアルタイヤを示す。
この空気入りラジアルタイヤは、無負荷状態のタイヤ幅方向断面内では、バットレス８が、タイヤ幅方向外側に迫り出してタイヤ最大幅位置に到る形状を有し、その最大幅位置からタイヤ径方向内側ではタイヤ幅が漸減する形状を有する。これがため、荷重の作用によってサイドウォール部２のタイヤ径方向内方部分がタイヤ幅方向外側に膨出したときには、図１に示すように、バットレスからサイドウォール部２の下部にかけて、路面に対してほぼ垂直となる姿勢をとることになるので、サイドカットそのものを受け難い。
【００２３】
また、本発明の空気入りラジアルタイヤは、上記傾斜角度αを３０°以下とすることで、サイドカットの発生抑制効果を発揮させつつ、タイヤのバットレスのゴム厚みが厚くなりすぎてゴム体積が増加しすぎるのを防いでいる。即ち、バットレスのゴム体積の増大に起因するトレッドゴムの発熱量の増加を有効に抑制している。
【００２４】
さらに、前記傾斜角度βを３０°未満とし、トレッドセンターからタイヤ最大幅位置までの距離ｈを０．４０ＳＨ以下とすることにより、タイヤのバットレスのゴム厚みが薄くなりすぎるのを防ぐとともに、タイヤのトレッド接地幅の減少による耐摩耗性の低下を防止している。
【００２５】
一方、このタイヤは、前記距離ｈを０．２０以上としているため、タイヤのバットレスのゴム体積が増加しすぎてトレッドゴムの発熱量が増加してしまうことがない。
【００２６】
また、従来の重荷重用空気入りタイヤのトレッド部に配される幅方向溝としては、トレッド接地面からの深さがほぼ一定のまま、溝底がタイヤショルダ部に抜けるような形状のものが一般的であったが、本発明の重荷重用空気入りタイヤは、トレッド接地面から溝底までの距離（溝の深さ）が、タイヤ幅方向外側で増大する段差形態を有し、段差の前後の溝深さの比が１．５倍以上であるような幅方向溝を、トレッドショルダ域に配することを特徴とする。
【００２７】
トレッド部に配する幅方向溝の形態を上記のような段差状とすることにより、該幅方向溝から、トレッドゴムの熱量の放熱効果を、大幅に向上させることができる。これによって、トレッドゴムの温度上昇を有効に抑制することができる。
【００２８】
一方、幅方向溝の溝底ラインの、タイヤ側面側の終端がサイドカットを受けやすい領域にある場合、幅方向溝の溝底がサイドカットの核となってしまうおそれがあることから、前記幅方溝の溝底のタイヤの側面との交点Ｆは、タイヤ最大幅位置よりもタイヤ径方向外側に位置する必要がある。
従って、トレッドセンターから、幅方向溝の溝底のタイヤの側面との交点Ｆまでの距離ｈ′は、ｈ′＜ｈの関係を満たすこととなり、これにより、タイヤの耐カット性を損ねることなく優れた放熱効果を得ることができる。
【００２９】
また、前記距離ｈ′は０．２ｈ以上であることが好ましく、さらに好ましくは、０．５ｈ＜ｈ′＜０．９ｈとする。
前記距離ｈ′を上記範囲内とすることにより、トレッドゴムの発熱抑制効果とタイヤの耐サイドカット性とをさらにバランス良く両立させることができる。
【００３０】
さらに、幅方向溝の放熱効果をより多く得る観点からは、前記長さｄを０．０３Ｄより大きくすることが好ましい。
一方、前記長さｄが大きすぎる場合、溝底のクラックやカットの発生要因となるおそれがあるため、０．４Ｄより小さいことが好ましい。
即ち、前記長さｄを上記範囲内とすることにより、トレッドゴムの低発熱性とタイヤの耐サイドカット性とをよりバランス良く両立できる。
【００３１】
また、耐サイドカット性とバットレスのゴム体積とのバランスを鑑みるに、前記傾斜角度αは５°≦α≦１０°の範囲とすることが好ましい。これにより、耐サイドカット性を確保しつつトレッドゴムの発熱量の増加をより効果的に抑制することが可能である。
【００３２】
さらに、耐摩耗性等のタイヤ諸性能との両立を図る上で、前記傾斜角度βは５°≦β≦１０°とすることが好ましい。
βを５°以上とすることにより、バットレスのゴム体積を減少させてトレッドゴムの発熱量をより効果的に抑制し、また、βを１０°以下とすることにより、タイヤのトレッド接地面の減少をより効果的に防ぐことができ、例えば耐摩耗性等のタイヤ諸性能への影響を防ぐことができる。
【００３３】
以上のようなタイヤにおいて、前記タイヤ径方向距離ｈを０．２８ＳＨ≦ｈ≦０．３６ＳＨとしたときは、耐サイドカット性の向上効果とトレッドゴムの発熱の抑制効果とをさらに効果的に得ることが可能である。
【図面の簡単な説明】
【００３４】
【図１】本発明の空気入りラジアルタイヤを適用リムに組み付け、規定の空気圧を充填し、規定の質量に対応する負荷を加えて転動させた場合を模式的に示す、タイヤの半部についての幅方向断面図である。
【図２】本発明の空気入りラジアルタイヤを適用リムに組み付け、規定の空気圧を充填し、無負荷状態とした状態で示す、タイヤの半部についての幅方向断面図である。
【図３】図２の空気入りラジアルタイヤのトレッド部付近を中心とした要部拡大断面図である。
【図４】従来タイヤを適用リムに組み付け、規定の空気圧を充填し、規定の質量に対応する負荷を加えて転動させた場合をタイヤの半部について示す幅方向断面図である。
【発明を実施するための形態】
【００３５】
以下に、図面を参照しながら本発明の重荷重用ラジアルタイヤを詳細に説明する。
図２に示すところにおいて、１はトレッド部を、２はトレッド部１のそれぞれの側部に連続して半径方向内方へ延びる一対のサイドウォール部を、そして３は各サイドウォール部２の半径方向内方に連続するビード部をそれぞれ示す。
【００３６】
図示の空気入りラジアルタイヤは、各ビード部３内のビードコア４間にトロイド状に延在する少なくとも一枚のカーカスプライからなるラジアルカーカス５と、カーカス５のクラウン域の外周側に配設した少なくとも２層のスチールベルト層からなるベルト６と、このベルト６の外周側にトレッドゴム７を具え、さらに、前記トレッド部１の少なくともショルダ域、例えば、トレッド接地端Ｔからトレッド幅ＴＷの１／４の範囲にトレッド幅方向に延びる幅方向溝１０をトレッド周方向に間隔をおいて複数本具える。
【００３７】
ここで、図示の空気入りタイヤでは、適用リムＲに組み付けて、規定の内圧を充填した無負荷状態のタイヤの幅方向断面内で、カーカス５の最大幅位置を通るリム径ラインと平行な仮想直線ｌ１とタイヤ外表面との交点ｐと、この交点ｐよりタイヤ径方向外側に位置するタイヤ最大幅位置９とを結ぶ直線ｌ２の、タイヤの赤道面ＣＬに平行な直線ｌ３に対する鋭角側の傾斜角度αを、０°＜α≦３０°とする。
【００３８】
またここでは、前記タイヤ最大幅位置９とトレッド接地端Ｔとを結ぶ直線ｌ４の、タイヤ赤道面ＣＬに平行な直線ｌ５に対するタイヤ幅方向内側への鋭角側の傾斜角度βを、０°≦β＜３０°とし、トレッドセンターからタイヤ最大幅位置９までのタイヤ径方向距離ｈを、タイヤ断面高さＳＨに対して０．２０ＳＨ≦ｈ≦０．４０ＳＨとし、そして、トレッドセンターから前記幅方向溝１０の溝底１１のタイヤ側面との交点Ｆまでのタイヤ径方向距離ｈ′を前記距離ｈよりも小さいものとする。
【００３９】
さらに、前記幅方向溝１０は、その溝底１１に引いた第一の接線ｔ１が、同溝底１１のトレッド接地面との交点Ｆ′とトレッド接地端Ｔとを結ぶ直線ｌ６と平行になる領域Ａを有するとともに、この領域Ａよりもタイヤ幅方向外側に、同溝底１１に引いた第２の接線ｔ２が直線ｌ４と平行になる領域Ｂを有する。また、交点Ｆから直線ｌ６に下ろした垂線の長さＤ′を、前記領域Ａから直線ｌ６に下ろした垂線の長さＤの１．５倍以上とする。
【００４０】
尚、図示例では、空気入りタイヤの上記ラジアルカーカス５は、各ビード部３に埋設された六角形断面のビードコア４間に、本体部分５ａをトロイド状に延在させるとともに、側部部分５ｂを、ビードコア４の周りで、タイヤ幅方向内側から外側に向けて折り返して配設してなるが、側部部分５ｂは、ビードコア４の周りでタイヤ幅方向外側から内側に向けて折り返すことも可能である。
【００４１】
ここで、カーカスプライは、例えば、タイヤ周方向と直交する方向に延びるスチールコード、有機繊維コード等にて形成することができる。また、カーカスの側部部分５ｂは、リム径ラインから測って、例えば、タイヤ断面高さＳＨの０．３０〜０．４６％の範囲内まで延在させることができる。
【００４２】
前記ベルト６は、図では四層のコード交錯ベルト層により形成されているが、ベルト層の層数は、所要に応じて適宜に増減することができる。また、トレッドゴム７の表面には、図示の幅方向溝１０に加え、トレッド周方向等に延びる適宜の溝を形成することができる。
【００４３】
以下に、本発明を特徴付ける構成についてより詳細に述べる。
従来、建設車両用のタイヤが地下鉱山等の岩盤路を走行する場合、図４に例示するように、膨出変形したサイドウォール部２２が、路面上の岩石等の突起物によってサイドカットを生じることが多かった。
【００４４】
これに対し、サイドウォールのゲージ厚を厚くして、サイドカットを防ぐ方法があったが、この方法では、タイヤのショルダ部のゴム体積の増加によって走行による発熱量が増加してしまうことが課題であった。
【００４５】
そこで、タイヤのサイドカットを防ぐためには、まず上記傾斜角度αを０°超とする必要がある。
即ち、上記傾斜角度が０°以下では、タイヤが荷重を受けてサイドウォール部２が膨出した際に、バットレス部８によって、サイドウォール部２を、走路上の石等の突起物から保護することができないためである。
【００４６】
一方、上記傾斜角度αを増加させるに伴って、タイヤのショルダ部のゴム体積が多くなり、トレッドゴム７の発熱量が増加してしまう傾向にあるため、上記傾斜角度αは、３０°以下である必要がある。上記傾斜角度αが３０°以下であれば、トレッドゴム７の発熱量がそれほど多くなることはない。
【００４７】
また、本発明において、上記傾斜角度βが大きすぎる場合、バットレス部８のゲージが薄くなり過ぎてしまい、十分な耐サイドカット性を確保することができず、また、タイヤの接地幅が減少することによって耐摩耗性に影響するおそれがある。そのため、上記傾斜角度βは３０°より小さい必要がある。従って、上記傾斜角度は、０°≦β＜３０°である必要がある。
【００４８】
また、通常、タイヤがサイドカットを受けるのは、タイヤの接地面中央域からタイヤ径方向内側に０．４０ＳＨ以上離れた領域であるため、上記距離ｈは、０．４０ＳＨ以下である必要がある。
一方、ｈを小さくし過ぎると、ショルダ部のゴム体積が多くなり、トレッドゴム７の発熱量が増加してしまう。従って、上記距離ｈは、タイヤ断面高さＳＨに対して０．２０ＳＨ≦ｈ≦０．４０ＳＨである必要がある。
【００４９】
また、本発明のタイヤは、トレッド部１のショルダ域に図示例のように、溝の深さがタイヤ幅方向にかけてステップ状に拡大する段差を有するタイヤ幅方向溝１０をトレッド周方向に複数本具え、該幅方向溝１０をもって、トレッド部１のトレッドゴム７の熱量の放熱を促進し、温度上昇を抑制することを特徴とする。
【００５０】
その際、トレッドセンターから交点Ｆまでのタイヤ径方向距離ｈ′は、前記距離ｈに対して、ｈ′＜ｈの関係を満たす必要があり、好ましくは０．２ｈ≦ｈ′であり、さらに好ましくは、０．５ｈ＜ｈ′＜０．９ｈである。
また、その際、前記領域Ｂから直線ｌ４に下ろした垂線の長さｄは、０．０３Ｄ＜ｄ＜０．４Ｄとすることが好ましい。
【００５１】
距離ｈ′および長さｄが上記範囲となるよう幅方向溝１０の形状を設計することにより、トレッドゴム７の発熱抑制効果とタイヤの耐サイドカット性とをよりバランス良く両立させることができる。
【００５２】
尚、幅方向溝１０の形状に関して、幅方向溝１０の溝底１１のトレッド接地面との交点Ｆ′からトレッド接地端Ｔまでのタイヤ幅方向距離ＧＷは、特に限定されるものではなく、１／８ＴＷ〜３／８ＴＷの範囲内であることが好ましい。また、前記長さＤは、５０〜１１０ｍｍの範囲内であることが好ましい。
【００５３】
また、以上のような構成を有するタイヤにおいて、前記傾斜角度αは、５°≦α≦１０°とすることがより好ましい。
前記傾斜角度αを上記範囲内とすれば、バットレスの発熱の抑制とタイヤの耐サイドカット性とのバランスを一層高めることができる。
【００５４】
さらに、このタイヤでは、前記傾斜角度βを、５°≦β≦１０°とすることが好ましい。
上述の場合と同様に、前記傾斜角度βを上記範囲とすることにより、バットレスの発熱の抑制とタイヤの耐サイドカット性とをよりバランス良く両立させることができる。
【００５５】
そしてまた、このタイヤでは、前記距離ｈを、０．２８ＳＨ≦ｈ≦０．３６ＳＨとすることが好ましい。
これによれば、バットレスそれ自体へのカットの発生を有効に抑制するとともに、前記距離を０．２８以上とすることによって、トレッドゴム７の発熱量の増加を、より効果的に抑制することができる。
【実施例】
【００５６】
次に、図２および図３に示すような構造を有する、サイズが２６．５Ｒ２５のスムースタイヤを試作し、表１に示すように、それぞれの諸元を変化させた実施例タイヤ、比較例タイヤとのそれぞれにつき、耐サイドカット性およびトレッドゴムの発熱温度を測定した。
【００５７】
（耐サイドカット性）
実施例タイヤ、比較例タイヤのそれぞれを市場へ各５０本投入し、一年後の各タイヤをサンプリングし、それぞれのカット故障本数／供試タイヤ本数を調査した。この結果を表１に示す。
【００５８】
（発熱温度）
実施例タイヤ、比較例タイヤのそれぞれを、２２．００／３．０のリムに組み付けて、内圧を６５０ｋＰａ、負荷重量１８５００ｋｇとし、試験速度５ｋｍ／ｈにてドラム試験機で、２４時間走行させて、図３に示す点Ｐ１〜Ｐ３上での各温度を測定して評価した。表１に、比較例タイヤ１の測定温度を０℃とした各タイヤの差分値を示す。
【００５９】
尚、点Ｐ１は、タイヤの幅方向断面上において、タイヤ最大幅位置９からラジアルカーカス５の厚み中心線に引いた垂線と、該カーカスの表面との交点から１．５ｍｍ離れた該垂線上の点であり、点Ｐ２は、タイヤの幅方向断面上において、タイヤ最大幅位置９とトレッド接地端Ｔとの中点からラジアルカーカス５の厚み中心線に引いた垂線と、該カーカスの表面との交点から１．５ｍｍ離れた該垂線上の点であり、点Ｐ３は、タイヤの幅方向断面上において、トレッド接地端Ｔからラジアルカーカス５の厚み中心線に引いた垂線と、該カーカスの表面との交点から１．５ｍｍ離れた該垂線上の点である。
【００６０】
【表１】
2011111006.tif 000003
【００６１】
表１より、本発明の実施例タイヤは、比較例タイヤに対して、タイヤ各点での温度上昇を効果的に抑制しており、またその一方で、比較例タイヤと同等の耐サイドカット性を示していることがわかる。
【００６２】
上記結果から、本発明の空気入りタイヤは、耐サイドカット性及びトレッドゴムの発熱量を高い次元で実現したものであると言える。
【符号の説明】
【００６３】
ＣＬ    赤道面
１      トレッド部
２      サイドウォール部
３      ビード部
４      ビードコア
５      ラジアルカーカス
５ａ    本体部分
５ｂ    折返し部分
６      ベルト
７      トレッドゴム
８      バットレス部
９      タイヤ最大幅位置
１０    幅方向溝
１１    溝底
ｔ１     第１の接線
ｔ２     第２の接線
ＴＷ    トレッド接地幅
ＧＷ    幅方向溝の長さ
ＳＨ    タイヤ断面高さ
Ｒ      適用リム
【図１】
2011111006.tif 000004
【図２】
2011111006.tif 000005
【図３】
2011111006.tif 000006
【図４】
2011111006.tif 000007